(57)【要約】【課題】茶葉から淹れた茶の味を味わえ、茶の有用成分を多く含む茶汁を飲用でき、好みの濃さの茶を飲用でき、付属の湯呑に注いで飲用できる茶葉用の飲用容器を提供する。【解決手段】茶葉用飲用容器１は飲料水５を充填した本体部２と、該本体部２の上部に取り外し自在に外設した湯呑部１３とからなり、該湯呑部１３にはティーバッグ収納部３を備える。該ティーバッグ収納部３内部は真空又は窒素充填してティーバッグ７を収納し、フィルム状体１１で剥離可能に封着する。該フィルム状体１１を剥離して取り出したティーバッグ７を該本体部２の飲料水５中に没入せしめ、所望の濃さの茶にした後、該引上げ手段１５を上方に引くことにより、該ティーバッグ７が該本体部２における口部１９により圧搾され、ティーバッグ７から茶汁が絞り出される。ティーバッグ７を除いた後の茶は湯呑部１３に注いで飲用することができる。【選択図】図１
0003210500.tif 000002
【実用新案登録請求の範囲】
【請求項１】
飲料水を充填し、上部を蓋部で密閉した本体部と、該本体部上部に取り外し自在に外設した湯呑部とからなる飲用容器であって、
該湯呑部はティーバッグ収納部を備え、
該ティーバッグ収納部はフィルム状体で剥離可能に封着され、
該ティーバッグ収納部内部は真空又は窒素充填して茶葉を内包したティーバッグを収納し、
該ティーバッグにおいて水平部の最大幅は該本体部の口部内径より大きく、
該ティーバックには引き上げ手段を備えさせ、
該ティーバック収納部のフィルム状体を剥離して取り出したティーバッグを該本体部内の飲料水中に没入せしめ、
所望の濃さの茶にした後、該引き上げ手段を上方に引くことにより、該ティーバッグが該本体部口部を通過する時に該口部により圧搾され、ティーバッグから茶汁が絞り出され、
ティーバッグを除いた後の茶を該湯呑部に注いで飲用することができる飲用容器。
【請求項２】
前記引き上げ手段は複数の茶の色を備えることを特徴とする請求項１記載の飲用容器。
【請求項３】
前記ティーバッグは、可撓性を有する圧搾手段に内設させることを特徴とする請求項１又は請求項２記載の飲用容器。
【請求項４】
前記口部には可撓部を備えさせ、該可撓部を外側から指で押圧することにより、前記ティーバックを揉むことができるようにしたことを特徴とする請求項１ないし請求項３記載の飲用容器。
【考案の詳細な説明】
【技術分野】
【０００１】
本考案は、茶葉の酸化を防止して茶葉から淹れた茶の味、香りを味わうことができ、茶本来の色を保つことができ、茶の有用成分を多く含む茶汁を残さず飲用でき、好みの濃さの茶を飲用でき、付属の湯呑に注いで飲用できる茶葉用の飲用容器に関するものである。
【背景技術】
【０００２】
従来のペットボトルや缶で販売されている緑茶、紅茶、ウーロン茶等は、茶葉から抽出した茶を充填してあるため、茶が酸化し、味、香り、色等が損なわれる。また、茶の濃さは製造メーカによって決められてしまい、自分の好みの濃さの茶を飲用することができない。
【０００３】
特許文献（特許第５７５７４３３号）において、ペットボトル用ティーバッグ及びその製造方法が開示されたが、ティーバッグに充填された茶の酸化を防止する方法については何ら開示されておらず、ティーバッグをペットボトルに入れるまでにティーバッグに充填された茶葉が空気に触れて酸化するため、新鮮な茶葉から淹れた茶の味、香りを味わうことができず、茶本来の色を保つことができないという問題点がある。また、茶には、カテキン類、ビタミン類などの有用成分が豊富に含有されており、健康を増進できることが知られているが、該有効成分を多く含む茶汁を飲用することができないという問題点がある。
【０００４】
また、市販されているペットボトルや缶は、付属の湯呑がなく容器に口をつけて直接飲まなくてはならないため、女性は人前で飲みにくいという問題点がある。
【先行技術文献】
【特許文献】
【０００５】
【特許文献１】特許第５７５７４３３号公報
【考案の概要】
【考案が解決しようとする課題】
【０００６】
本考案は、茶又は茶葉の酸化により茶の味、香り、色、有用成分を損なう、好みの濃さの茶を飲用することができないという問題点を解決し、茶葉から淹れた茶の味、香りを味わうことができ、茶本来の色を保つことができ、新鮮な茶の有用成分を多く含む茶汁を残さず飲用することができ、好みの濃さの茶を飲用でき、付属の湯呑に注いで飲用できる茶葉用の飲用容器を提供することを目的とする。
【課題を解決するための手段】
【０００７】
本考案者は上記目的を達成するため本考案は、下記飲用容器を提供するものである。
【０００８】
（１）飲料水を充填し、上部を蓋部で密閉した本体部と、該本体部上部に取り外し自在に外設した湯呑部とからなる飲用容器であって、
該湯呑部はティーバッグ収納部を備え、
該ティーバッグ収納部はフィルム状体で剥離可能に封着され、
該ティーバッグ収納部内部は真空又は窒素充填して茶葉を内包したティーバッグを収納し、
該ティーバッグにおいて水平部の最大幅は該本体部の口部内径より大きく、
該ティーバックには引き上げ手段を備えさせ、
該ティーバック収納部のフィルム状体を剥離して取り出したティーバッグを該本体部内の飲料水中に没入せしめ、
所望の濃さの茶にした後、該引き上げ手段を上方に引くことにより、該ティーバッグが該本体部口部を通過する時に該口部により圧搾され、ティーバッグから茶汁が絞り出され、
ティーバッグを除いた後の茶を該湯呑部に注いで飲用することができる飲用容器である。（請求項１）
【０００９】
（２）前記引き上げ手段は複数の茶の色を備えることを特徴とする（請求項２）。
【００１０】
（３）前記ティーバッグは、可撓性を有する圧搾手段に内設させることを特徴とする（請求項３）。
【００１１】
（４）前記口部には可撓部を備えさせ、該可撓部を外側から指で押圧することにより、前記ティーバックを揉むことができるようにしたことを特徴とする（請求項４）。
【考案の効果】
【００１２】
請求項１の考案によれば、ティーバッグに充填された茶葉の酸化を防止することにより、新鮮な茶葉から淹れた茶本来の味、香りを味わうこと及び茶本来の色を保つことができ、ティーバッグを圧搾して茶汁を絞り出すことにより茶の有用成分を多く含む茶汁を飲用することができる茶葉用の飲用容器を提供することできる。
【００１３】
請求項２の考案によれば、引き上げ手段の供えられた複数の茶の色を指標として茶の濃さを判断することが可能となり、好みの濃さの茶を飲用できる。
【００１４】
請求項３の考案によれば、該圧搾手段によりティーバッグを更に圧搾することができ、茶の有用成分を多く含む茶汁を残さず飲用することができる。
【００１５】
請求項４の考案によれば、該飲用容器口部の可撓部の外側から押圧してティーバックを揉むことにより、ティーバッグ中に残留する茶の有用成分を多く含む茶汁を絞り落とすことができる。
【図面の簡単な説明】
【００１６】
【図１】図１は、本考案にかかる茶葉用の飲用容器の正面断面図である。
【図２】図２は、該飲用容器においてティーバッグを飲料水中に没入せしめた状態を示す正面断面図である。
【図３】図３は、該飲用容器においてティーバッグを圧搾する状態を示す正面断面図である。
【図４】図４は、該飲用容器からティーバッグを除いた状態を示す正面断面図である。
【図５】図５は、圧搾手段を備えたティーバッグを示す拡大正面図である。
【図６】図６は、該飲用容器口部の可撓部の一例を示す部分正面図である。
【図７】図７は、図６のＶＩＩ−ＶＩＩ端面図である。
【考案を実施するための形態】
【００１７】
図１は、本考案にかかる茶葉用の飲用容器１の一例を示す正面断面図である。該飲用容器１は飲料水５を充填し上部を蓋部２１で密閉した本体部２と、該本体部２の上部に取り外し自在に外設した湯呑部１３とからなる。該湯呑部１３はティーバッグ収納部３を備える。該ティーバッグ収納部３はフィルム状体１１で剥離可能に封着され、該ティーバッグ収納部３の内部は真空又は窒素充填して茶葉９を内包したティーバッグ７を収納する。該ティーバック７は空気に触れないので、該ティーバッグ７内の茶葉９は酸化することなく、新鮮な状態を保持できる。該ティーバッグ７において水平部の最大幅は該本体部２における口部１９の内径１９ａより大きい。該ティーバッグ７には引き上げ手段１５を備えさせる。
【００１８】
該ティーバッグ収納部３のフィルム状体１１を剥離して取り出したティーバッグ７を該本体部２の飲料水５中に没入せしめ、所望の濃さの茶にした後、該引上げ手段１５を上方に引くことにより、該ティーバッグ７が該本体部２における口部１９により圧搾され、ティーバッグ７から茶汁２３が絞り出される。ティーバッグ７を除いた後の茶は湯呑部１３に注いで飲用することができる。
【００１９】
該本体部２及び該湯呑部１３はどのような材料からなるものでもよく、例えばポリエチレンテレフタレートが好ましい。該本体部２の上部に該湯呑部１３を取り外し自在に外設するには、例えば該本体部２に凸部２７を設け、該湯呑部１３に凹部２９を設け、該凸部２７と該凹部２９とを嵌合させる。ティーバッグ７に充填する茶葉９は緑茶、紅茶、ウーロン茶などの茶葉を用いることができる。ティーバッグ７の形状は四角形の袋状、三角錐状などどのような形状でもよい。該フィルム状体１１は空気を透過しない性質を備えていればよく、一例としてポリエチレンフイルム等の合成樹脂フィルムを用いる。
【００２０】
該引き上げ手段１５は棒状体、紐、糸等が好ましい。引き上げ手段１５には、複数の茶の色を備える部分２５を備える。該複数の茶の色を備える部分２５は、ティーバッグ７に充填する茶葉９から茶を淹れたときの茶の色とし、濃い茶の色から薄い茶の色までを備えさせる。茶の色は、少なくとも、濃い茶の色、一般的な濃さの茶の色、薄い茶の色の３種類に分けるのが好ましく、更に好ましくは薄い茶の色２５ａ、やや薄い茶の色２５ｂ、一般的な濃さの茶の色２５ｃ、やや濃い茶の色２５ｄ、濃い茶の色２５ｅの５種類とする。また、濃い茶の色から薄い茶の色までをグラデーションにしてもよい。
【００２１】
図２は、飲用容器１の本体部２の飲料水５にティーバッグ７が没入した状態の一例を示す正面断面図である。湯呑部１３を外し、フィルム状体１１を剥離してティーバッグ７を取り出す。該本体部２の蓋部２１を開け、口部１９より該ティーバッグ７を飲料水に没入させる。ティーバッグ７に内包された茶葉９は、該フィルム状体１１を剥離するまで酸素に一切触れることないため、酸化しない新鮮な状態の茶葉９から浸出される茶を作ることができる。
【００２２】
ティーバッグ７が飲料水５に没入した後、引上げ手段１５における上部把持部１７を上下方向に動かすことにより、茶葉から茶の成分が浸出し、その浸出時間により茶を好みの濃さにすることができる。その際、茶成分が浸出した飲料水の色を、複数の茶の色を備える部分２５の色を指標として比較することにより、茶の濃さを判断することができる。
【００２３】
図３は、飲用容器１においてティーバッグ７を圧搾する状態の一例を示す正面断面図である。該引き上げ手段１５を上方に引くことにより、該ティーバッグ７は本体部２の口部１９を通過する時に該口部１９により圧搾され、ティーバッグ７から茶汁２３が絞り出されることにより、茶の有用成分を多く含む茶汁２３を飲用することができる。
【００２４】
図４は、本体部２からティーバッグ７を除いた状態の一例を示す正面断面図である。ティーバッグ７は茶汁２３が絞り出された状態であるので、茶汁２３が垂れ落ちる心配なく捨てることができる。本体部２内の茶は、湯呑部１３に注いで飲用することができる。
【００２５】
図５は、圧搾手段３１を備えたティーバッグ７の一例を示す拡大正面図である。該圧搾手段３１は可撓性を有することにより、該ティーバッグ７が本体部２の口部１９を通過する際に、該圧搾手段３１が該ティーバッグ７を強く圧搾して茶汁２３を絞り切ることができ、茶汁２３を残さず飲用することができる。該圧搾手段３１は、該ティーバッグ７が本体部２の口部１９を通過する際に飲料水中に茶汁２３が落ちる形状であれば、形状は問わないものであり、図５に示す形状以外に網状が考えられる。
【００２６】
図６は、該飲用容器口部の可撓部の一例を示す部分正面図である。図７は、図６のＶＩＩ−ＶＩＩ端面図である。該口部１９の上方に可撓部２０を備えさせ、該可撓部２０は可撓性の低い部分２０ａと可撓性の高い部分２０ｂとからなる。該引き上げ手段１５を上方に引き、口部１９をティーバッグ７が通過する際に、可撓性の高い部分２０ｂを外側から指で押圧してティーバック７を揉んでティーバック７に残留する茶汁を本体部２内に絞り出すことにより、有用成分を多く含む茶汁を余すとことなく飲用できる。
【符号の説明】
【００２７】
１  飲用容器
２  本体部
３  ティーバッグ収納部
５  飲料水
７  ティーバッグ
９  茶葉  
１１  フィルム状体
１３  湯呑部
１５  引き上げ手段
１７  把持部
１９  口部
１９ａ  内径
２０  可撓部
２０ａ  可撓性が低い部分
２０ｂ  可撓性が高い部分
２１  蓋部
２３  茶汁
２５  複数の茶の色を備える部分
２５ａ  薄い茶の色
２５ｂ  やや薄い茶の色
２５ｃ  一般的な濃さの茶の色
２５ｄ  やや濃い茶の色
２５ｅ  濃い茶の色
２７  凸部
２９  凹部
３１  圧搾手段
【図１】
0003210500.tif 000003
【図２】
0003210500.tif 000004
【図３】
0003210500.tif 000005
【図４】
0003210500.tif 000006
【図５】
0003210500.tif 000007
【図６】
0003210500.tif 000008
【図７】
0003210500.tif 000009